(57)【要約】【課題】  太陽光パネル設置作業の効率を向上させる。【解決手段】  架台上に二以上の太陽光パネルが間隔をあけて載置され、その太陽光パネルの上面が座金付きボルトに装備された座金の押さえ部で押さえられ、架台を通過した座金付きボルトのうち太陽光パネルの下面よりも下側に突出した部分にナットが螺合されることによって、架台と座金の間に太陽光パネルが固定された太陽光パネル固定構造である。【選択図】図１
2020036398.tif 000002
【特許請求の範囲】
【請求項１】
長尺材が縦横に組まれて形成された架台の上に、周囲にフレームを備えた太陽光パネルが二以上載置され、少なくとも載置方向上下方向に隙間をあけて載置され、
隣接する二つの太陽光パネルの間の隙間に座金付きボルトが差し込まれ、その座金付きボルトの座金が前記両太陽光パネルのフレームの上に跨って宛がわれ、
前記架台の長尺材よりも下方に突出した前記座金付きボルトの突出部に、長尺材の下方からナットが螺合されて、前記太陽光パネルのフレームが長尺材と座金の間に挟まれて架台に固定され、
太陽光パネルのフレームの二以上の箇所が座金付きボルトとナットにより架台に固定された、
ことを特徴とする太陽光パネル固定構造。
【請求項２】
長尺材が縦横に組まれて形成された架台の上に、周囲にフレームを備えた太陽光パネルが二以上載置され、少なくとも載置方向上下方向に隙間をあけて載置され、
前記架台の長尺材よりも下方から、隣接する二つの太陽光パネルの間の隙間にボルトが差し込まれて、その上端部が前記両太陽光パネルの間の隙間から太陽光パネルのフレームの上方まで突出し、
前記ボルトの突出部にフレームの上から座金付きナットが螺合されて、その座金付きナットの座金が前記両太陽光パネルのフレームの上に跨って宛がわれ、
前記ボルトと前記座金付きナットとの螺合により、両太陽光パネルのフレームが座金と長尺材の間に挟まれて架台に固定され、
太陽光パネルのフレームの二以上の箇所が前記ボルトと座金付きナットにより架台に固定された、
ことを特徴とする太陽光パネル固定構造。
【請求項３】
長尺材が縦横に組まれて形成された架台の上に、周囲にフレームを備えた太陽光パネルが二以上載置され、少なくとも載置方向上下方向に隙間をあけて載置され、
少なくとも最下段の太陽光パネルの下側フレームの上にプレートの第一押さえ部が宛がわれて、第一押さえ部の下方部が下側フレームの外まで突出しており、前記プレートの第二押さえ部が最下段の長尺材の上に宛がわれ、
座金付きボルトが第一押さえ部の上から差し込まれて、最下段の太陽光パネルの下側フレームの外側を通って長尺材の下方に突出し、当該座金付きボルトの座金の上方部が第一押さえ部の上に重なっており、
架台の長尺材よりも下方に突出した前記座金付きボルトの突出部に、長尺材の下方からナットが螺合されて、前記太陽光パネルのフレームがナットと座金付きボルトの間に挟まれて架台に固定され、太陽光パネルのフレームの二以上の箇所が前記ナットと座金付きボルトにより架台に固定された、
ことを特徴とする太陽光パネル固定構造。
【請求項４】
長尺材が縦横に組まれて形成された架台の上に、周囲にフレームを備えた太陽光パネルが二以上載置され、少なくとも載置方向上下方向に隙間をあけて載置され、
少なくとも最下段の太陽光パネルの下側フレームの上にプレートの第一押さえ部が宛がわれて、第一押さえ部の下方部が下側フレームの外まで突出しており、前記プレートの第二押さえ部が最下段の長尺材の上に宛がわれ、
ボルトが長尺材の下から前記第一押さえ部の差込み孔に差し込まれて差込み孔の上方まで突出し、
座金付きナットが第一押さえ部の上から前記ボルトの突出部に螺合されて、当該座金付きナットの座金が第一押さえ部の上に重なり、前記太陽光パネルのフレームが当該座金と長尺材の間に挟まれて架台に固定され、太陽光パネルのフレームの二以上の箇所が前記ボルトと座金付きナットにより架台に固定された、
ことを特徴とする太陽光パネル固定構造。
【請求項５】
請求項１から請求項４のいずれか１項に記載の太陽光パネル固定構造において、
架台の組み立てに側面視Ｃ字状の長尺材が使用され、長尺材の開口部が下向きである、
ことを特徴とする太陽光パネル固定構造。
【請求項６】
請求項１又は請求項２又は請求項５記載の太陽光パネル固定構造に使用される座金付きボルトにおいて、
前記座金付きボルトは、頭部と当該頭部の下側に突出するボルト軸と当該ボルト軸の根元側に当該軸部から抜け落ちないように装備された座金を備え、
前記ボルト頭部の裏面に頭部突起が設けられ、
前記座金はボルト頭部側表面に前記頭部突起に噛み合う座金突起が設けられ、座金突起の外周に、架台の上に隙間をあけて載置された二枚の太陽光パネルのフレームに跨る広さである、
ことを特徴とする太陽光パネル固定具。
【請求項７】
請求項３から請求項５記載の太陽光パネル固定構造に使用される座金付きナットにおいて、
前記座金付きナットは、頭部と当該頭部の下側に突出するカシメ軸の下端側に当該カシメ軸から抜け落ちないように装備された座金を備え、
前記ナット頭部の裏面に頭部突起が設けられ、
前記座金はナット頭部側表面に前記頭部突起に噛み合う座金突起があり、座金突起の外周に、架台の上に隙間をあけて載置された二枚の太陽光パネルのフレームに跨る広さである、
ことを特徴とする太陽光パネル固定具。
【請求項８】
請求項６又は請求項７記載の太陽光パネル固定具において、
座金の裏面に食い込み突起を備えた、
ことを特徴とする太陽光パネル固定具。
【発明の詳細な説明】
【技術分野】
【０００１】
本発明は、架台に設置した太陽光パネルを架台に固定する構造と、その固定に使用する固定具に関するものである。
【背景技術】
【０００２】
太陽光パネルは、その受光面が所定角度となるように、斜めに、架台の上に設置される。架台に載せた太陽光パネルは架台に固定される。その固定には各種構造、機構の固定具が使用されている（例えば、特許文献１、２）。
【０００３】
図８（ａ）（ｂ）は、従来の太陽光パネルの固定構造の一例の断面図である。図８（ａ）は隣接する二枚の太陽光パネルＸを架台Ａに固定した構造の断面図、（ｂ）は架台Ａの端部に載せた太陽光パネルＸを架台Ａに固定した構造の断面図である。
【０００４】
図８では、架台Ａの上に載せた隣接する太陽光パネルＸのフレームの上に押さえ具Ｂを載せ、押さえ具Ｂの上から差し込んだボルトＣを、架台Ａの溝Ｄ内の駒Ｅのねじ孔にねじ込むことにより、太陽光パネルＸを押さえ具Ｂと架台Ａの受け片Ｆの間に挟んで架台Ａに固定している。
【０００５】
架台Ａは支柱の上に長尺材Ｇを縦横に組み立てて形成されている。長尺材Ｇと駒Ｅは別々に用意されており、駒Ｅを使用するためには、長尺材Ｇの溝Ｄ内に多くの駒Ｅを入れる作業（駒入れ作業）が必要である。駒Ｅは溝Ｄ内の一定位置に固定されておらず、溝Ｄ内を移動自在であるため、ボルトＣを駒Ｅのねじ孔にねじ込むためには、溝Ｄ内の駒ＥをボルトＣの位置までスライドさせて位置合わせ（位置合わせ作業）をしなければならず、作業が面倒であった。また、駒Ｅは特注品であるため高価であり、損傷したり、紛失したりすると代替品を調達するまでに時間が掛かる。この間、太陽光パネルの設置作業ができないこともあった。
【０００６】
特許文献２では、図８のような難点はないが、特別形状の固定子、特別形状の合成樹脂製ワッシャー、特別形状の金属製ワッシャー等が必要であるため部品点数が多くなり、コスト高になり、多くの部品を組み合わせるため作業が面倒であり、作業性が悪いという難点があった。
【先行技術文献】
【特許文献】
【０００７】
【特許文献１】実用新案登録第３１８９３０３号公報
【特許文献２】特開２０１１−１４８７７号公報
【発明の概要】
【発明が解決しようとする課題】
【０００８】
本発明は前記事情に鑑みて開発されたものであり、その解決課題は、特注品の駒や、特別形状の固定子、合成樹脂製ワッシャー等を必要とせず、駒入れ作業も、駒の位置合わせ作業も必要もなく、部品点数が少なく、太陽光パネルの設置作業も容易、簡便な太陽光パネル固定構造と、その固定に使用する固定具を提供することにある。
【課題を解決するための手段】
【０００９】
［太陽光パネル固定構造］
本発明の太陽光パネル固定構造の一つは、架台の上に隙間をあけて縦横に配列設置された二以上の太陽光パネルのうち、隣接する二つの太陽光パネルのフレームを、複数本の座金付きボルトと、その座金付きボルトに螺合されたナットとの締め付けにより架台に固定したものである。各座金付ボルトの座金はボルトの頭部側表面の中央部に座金突起があり、座金突起の外周に押さえ部があり、座金付きボルトの頭部裏面に頭部突起があり、この頭部突起と前記座金突起とが互いに係止して緩み止め可能である。この座金付きボルトは、
隣接する二つの太陽光パネルの間のすき間に差し込まれ、座金が両太陽光パネルのフレームの上に跨いで宛がわれ、座金付きボルトと架台の下から当該ボルトに螺合されるナットとの締め付けにより、隣接する二つの太陽光パネルを架台に固定した構造である。
【００１０】
本発明の太陽光パネル固定構造の他の構造は、架台の上に隙間をあけて縦横に配列設置された二以上の太陽光パネルのうち、架台の端部に配置された太陽光パネルを架台に固定したものである。このフレームと架台の上に宛て具を配置し、宛て具の上から架台に差し込まれた複数本の座金付きボルトと、架台の下から座金付きボルトに螺合されたナットとの締め付けによりにより架台に固定されたものである。各座金付ボルトの構造は、座金付ボルトの構造と同じである。
【００１１】
［太陽光パネル固定具］
本発明の太陽光パネル固定具の一つは、ボルトの頭部裏面に座金が抜け落ちないようにセットされた座金付きボルトであり、その座金はボルトの頭部側表面の中央部に座金突起があり、座金突起の外周に押さえ部がある。押さえ部は架台の上に縦横に隙間をあけて配列設置された隣接する二つの太陽光パネルの両フレームの上に跨いで宛がうことのできる大きさであり、ボルトの頭部裏面に設けた頭部突起が、前記座金突起と互いに噛み合って緩み止めとなるようにしたものである。
【発明の効果】
【００１２】
［太陽光パネル固定構造の効果］
（１）本発明の太陽光パネル固定構造は、太陽光パネルを座金付きボルトとナットとの螺合により架台に固定する構造であるため、従来のように、駒入れ作業、駒の位置合わせ作業が不要になり、太陽光パネルの設置作業が容易になり、設置作業の効率化及び短縮化に資する。
（２）架台に、Ｃチャンと呼ばれている汎用の長尺材を使用でき、特注の架台、駒、樹脂製ワッシャー、金属製ワッシャーが不要であるためコスト安にもなる。
【００１３】
［太陽光パネル固定具の効果］
（１）二枚の太陽光パネルのフレームを一枚の座金で押さえることのできるため、太陽光パネルのフレームに跨がせる駒や板材が不要であり、コストの低減、作業の容易、簡便化に資する。
（２）座金がボルト又はナットに抜け落ちないようにセットされているため、作業性が良い。また、座金紛失の心配もない。
【図面の簡単な説明】
【００１４】
【図１】（ａ）は本発明の太陽光パネル固定具を用いた太陽光パネル固定構造の一例を示す説明図、（ｂ）は（ａ）のＡ部拡大図、（ｃ）は（ａ）のＢ部拡大図。
【図２】（ａ）は本発明の第一の太陽光パネル固定具の概要図、（ｂ）は（ａ）の太陽光パネル固定具を底面側から見た場合の概要図。
【図３】図２（ａ）（ｂ）に示す太陽光パネル固定具を用いた太陽光パネル固定構造の説明図。
【図４】（ａ）は本発明の第二の太陽光パネル固定具の概要図、（ｂ）は（ａ）に示す太陽光パネル固定具を用いた太陽光パネル固定構造の説明図。
【図５】（ａ）は本発明の第三の太陽光パネル固定具の概要図、（ｂ）は（ａ）の太陽光パネル固定具を底面側から見た場合の概要図
【図６】図５（ａ）（ｂ）に示す太陽光パネル固定具を用いた太陽光パネル固定構造の説明図。
【図７】（ａ）は本発明の第四の太陽光パネル固定具の概要図、（ｂ）は（ａ）に示す太陽光パネル固定具を用いた太陽光パネル固定構造の説明図。
【図８】（ａ）は従来の太陽光パネル固定具を用いて隣接する二枚の太陽光パネルを架台に固定する場合の説明図、（ｂ）は端部に設置される太陽光パネルを架台に固定する場合の説明図。
【発明を実施するための形態】
【００１５】
（実施形態）
図１（ｂ）の太陽光パネル固定構造は、架台Ａの上に設置された複数枚の太陽光パネルＸのうち、隣接する二枚の太陽光パネルＸの間の隙間Ｓに座金付きボルト１０を差込み、その座金付きボルト１０の一枚の座金を両太陽光パネルＸのフレームＺに跨がせて宛がい、その座金付きボルト１０に架台Ａの下方からナット２０を螺合して、両太陽光パネルＸを架台Ａに固定した構造である。図１（ａ）の架台Ａは、地上に立てた支柱Ｈの上に、鋼材製の長尺材Ｇを縦横に配列して組み立てられている。長尺材Ｇには、Ｃチャンと呼ばれている鋼材を使用することができる。
【００１６】
図１（ｃ）の太陽光パネル固定構造は、図１（ａ）のように架台Ａの上に設置された複数枚の太陽光パネルＸのうち、架台Ａの最下端の長尺材Ｇの上の太陽光パネルＸのフレームＧと、最下端の長尺材Ｇの上に側面視Ｚ字形のプレート３０を宛がい、そのプレート３０の上から長尺材Ｇに座金付きボルト１０を差込み、その座金付きボルト１０に長尺材Ｇの下方からナット２０を螺合して、太陽光パネルＸをプレート３０で押さえて架Ａに固定した構造である。
【００１７】
以下に、太陽光パネル固定具（座金付きボルト）１０を先に説明し、その後に、その座金付きボルト１０を使用した太陽光パネル固定構造を説明する。
【００１８】
（太陽光パネル固定具の実施形態）
図２（ａ）（ｂ）の座金付きボルト１０は、ボルトの頭部１１と、頭部１１の下側に突出するボルト軸１２と、ボルト軸１２の根元側（頭部裏面側）にセットされている座金１３を備えている。座金１３はボルト軸１２にネジを切ることにより、ボルト軸１２から抜け落ちないようにセットされている。図２（ｂ）に示すように、頭部１１の裏面には頭部突起１１Ａがある。この頭部突起１１Ａは座金１３の頭部側表面に形成された座金突起１３Ａと噛み合う形状である。
【００１９】
頭部突起１１Ａは放射状に形成されており、複数の突起が頭部１１の周方向に連続している。各突起１１Ａは図２（ｂ）のように第一斜面１１ａと第二斜面１１ｂを備えた側面視山形である。第一斜面１１ａは座金付きボルト１０の締め付け方向先方側の斜面であり、第二斜面１１ｂは座金付きボルト１０の締め付け方向手前側の斜面である。この実施形態では、第一斜面１１ａを頭部１１の裏面に対して直角又は略直角に立ち上がる直立面とし、第二斜面１１ｂを頭部１１の裏面に対して、例えば１０〜２０°程度の勾配の緩斜面としてある。頭部突起１１Ａはボルト軸１２の外周から外側に離れた位置にあり、ボルト軸１２の外周と頭部突起１１Ａとの間に突起のない平坦部１１Ｂがある。第一斜面１１ａと第二斜面１１ｂは連続しており、頂部が弧状（Ｒ面）或いは平面とすることができる。
【００２０】
ボルト軸１２の外周には雄ネジ１２ａがある。雄ネジ１２ａの上方にはネジがない無ネジ部１２ｂがある。
【００２１】
座金１３は、ボルト軸１２の無ネジ部１２ｂに水平回転可能かつ上下方向にスライド可能にセットされている。座金１３は雄ネジ部１２ａに係止して、ボルト軸１２から抜け落ちないようにしてある。
【００２２】
座金１３は円盤状であり、その中心部に貫通孔１３Ｂがある。図２（ａ）（ｂ）の座金１３は直径３７．２ｍｍ、厚さ３．５ｍｍ程度であり、貫通孔１３Ｂは直径８．５ｍｍ程度である。これら寸法は一例であり、前記寸法以外であってもよく、隙間をあけて配置されている二枚又は三枚以上の太陽光パネルのフレームに跨る大きさであればよい。座金１３は円形以外、例えば、楕円形、角形、その他であってもよい。
【００２３】
座金１３の表面にはリング状の高台部１３ｘがあり、その高台部１３ｘよりも内側には高台部１３ｘよりも一段低い内低地部１３ｙが、外側には高台部１３ｘよりも一段低い外低地部１３ｚがある。
【００２４】
図２（ａ）に示すように、高台部１３ｘの上面には座金突起１３Ａがある。座金突起１３Ａは座金付きボルト１０の頭部１１に設けられた頭部突起１１Ａと噛み合って、ボルト１０の緩み止めとなるものである。座金突起１３Ａは放射状に形成された複数の突条によって構成されている。各突条は第一斜面１３ａと第二斜面１３ｂを備え、両斜面は頂部１３ｃで連続する側面視連続山形である。第一斜面１３ａは座金付きボルト１０の締め付け方向手前側の面であり、第二斜面１３ｂは座金付きボルト１０の締め付け方向先方側の面である。この実施形態では、第一斜面１３ａを座金１３の上面に対して１０〜２０°程度の勾配の緩斜面とし、第二斜面１３ｂを座金１３の上面に対して直角又は略直角に立ち上がる直立面としてある。第一斜面１３ａと第二斜面１３ｂが繋がる頂部は弧状（Ｒ面）又は平面とすることができる。
【００２５】
図２（ｂ）のように、座金１３の裏面には偏平状の押さえ部１３Ｃがある。この押さえ部１３Ｃには太陽光パネルＸのフレームＺに食い込み可能な食い込み突起１３Ｄが突設されている。食い込み突起１３Ｄは正面視三角形であり、座金１３の周方向四カ所に間隔をあけて設けられている。食い込み突起１３Ｄの外周には一段窪んだ凹陥部１３Ｅがある。食い込み突起１３Ｄの形状はこれ以外であってもよい。食い込み突起１３Ｄの数も四つより多くても少なくてもよい。食い込み突起１３Ｄは必要に応じて設ければよく、不要な場合には省略することができる。
【００２６】
前記ナット２０（図２（ａ））は、ボルト軸１２の外周に形成された雄ネジ１２ａに螺合する雌ネジ孔２０Ａを備えた既存のナットである。ナット２０には本件発明者が先に開発した座金付きナットを使用することもできる。この座金付きナットはナットの下に座金が抜け落ちないように取り付けられているものであり、ナットの突起と座金の突起が噛み合って、両者の締め付けが緩みにくくなるようにしたものである。
【００２７】
（太陽光パネル固定構造の実施形態１）
図３に本発明の太陽光パネル固定構造を示す。この固定構造は、前記座金付きボルト１０を使用して太陽光パネルＸを架台Ａに固定した構造である。図１（ａ）のように、架台Ａ上に二以上の太陽光パネルＸが縦横に配置されており、縦方向に配列された太陽光パネルＸ間に隙間Ｓ（図１（ｂ））がある。図１（ａ）の太陽光パネルＸのうち、上下方向に隣接する上下二枚の太陽光パネルＸの隙間Ｓに座金付きボルト１０が差込まれ（図３）、その座金付きボルト１０の一枚の座金１３が、前記二枚の太陽光パネルＸのフレームＺの上に跨がせて宛がわれて、フレームＺが座金１３の押さえ部１３Ｃで押さえられている。この座金付きボルト１０のうち、架台Ａの長尺材Ｇを下方に貫通した突出部は、長尺材Ｇの下方からナット２０を螺合し（図３）、当該ナット２０と座金付きボルト１０を締め付けることによって、長尺材Ｇと座金１３の間に二以上の太陽光パネルＸを挟んで架台Ａに固定してある。この場合、一本の座金付きボルト１０の一枚の座金１３の押さえ部１３Ｃで、二枚の太陽光パネルＸのフレームＺを押さえて架台Ａに固定され、頭部突起１１Ａと座金突起１３Ａが噛み合って緩みが防止される。
【００２８】
（太陽光パネル固定構造の実施形態２）
実施形態２の太陽光パネル固定構造は、図１（ａ）のように架台Ａの上に設置されている多数枚の太陽光パネルＸのうち、架台Ａの最下端の長尺材Ｇの上に設置されている太陽光パネルＸを、図１（ｃ）のように架台Ａに固定した構造である。この場合、図４（ａ）に示すプレート３０を使用する。プレート３０は太陽光パネルＸのフレームＺを押さえる第一押さえ部３１と、架台Ａを押さえる第二押さえ部３２と、両者の間の連続部３３を備えた側面視Ｚ字状である。第一押さえ部３１には、座金付きボルト１０のボルト軸１２が貫通する差込み孔（長孔）３１Ａが設けられている。
【００２９】
図４（ｂ）ではプレート３０の第一押さえ部３１を、最下端の太陽光パネルＸのフレームＺの上に重ね、第二押さえ部３２を架台Ａの最下端の長尺材Ｇの上に重ね、その状態で第一押さえ部３１の差込み孔３１Ａに座金付きボルト１０と差込み、そのボルト軸１２に架台Ａの下方からナット（汎用のナット）２０を螺合し、座金付きボルト１０を締め付けて、太陽光パネルＸをプレート３０と長尺材Ｇの間に挟んで架台Ａに固定してある。座金付きボルト１０の座金１３の押さえ部１３Ｃの裏面に食い込み突起１３Ｄ（図２（ｂ））がある場合は、当該食い込み突起１３Ｄがプレート３０の第一押さえ部３１に食い込む。また、座金１３の座金突起１３Ａと座金付きボルト１０の頭部突起１１Ａとが噛み合って、座金付きボルト１０とナット２０の噛み合いの緩みが防止される。
【００３０】
ナット２０には図５（ａ）（ｂ）に示すような座金付きナットを使用することもできる。この座金付きナット２０はナット頭部２１とその内側に突出する筒状のカシメ軸２２に座金１３を被せ、カシメ軸２２の下端側のカシメ部２２ｂをカシメることにより、座金１３がカシメ軸２２から抜け落ちないようにしてある。また、ナットの頭部２１の裏面に頭部突起２１Ａがリング状にあり、座金１３のナット側表面に座金突起１３Ａがあり、両突起が噛み合って緩みが防止されるようにしてある。また、座金１３の裏面に食い込み突起１３Ｄがあり、螺合したボルト１０と座金付きナット２０の締め付けにより、食い込み突起１３Ｄが架台Ａの長尺材Ｇに食い込み可能としてある。
【００３１】
図５（ｂ）の頭部突起２１Ａは放射状に形成された複数の突条が連続して構成されている。各突条は頂部が連続する第一斜面２１ａと第二斜面２１ｂを備えている。第一斜面２１ａはナット２０の締め付け方向先方側の面であり、第二斜面２１ｂはナット２０の締め付け方向手前側の面である。この実施形態では、第一斜面２１ａを頭部２１の裏面に対して直角又は略直角に立ち上がる直立面とし、第二斜面２１ｂを頭部２１の裏面に対して１０〜２０°程度の勾配の緩斜面としてある。頭部突起２１Ａはカシメ軸２２の外周から離れた位置に設けてあり、カシメ軸２２の外周と頭部突起２１Ａとの間には突起のない平坦部２１Ｂが設けられている。第一斜面２１ａと第二斜面２１ｂが繋がる頂部は弧状（Ｒ面）にしてある。
【００３２】
前記座金１３は胴体部２２ａに配置され、水平回転可能かつ上下方向に移動可能に配置されている。座金１３は外側に折り返されたカシメ部２２ｂに係止して、胴体部２２ａから抜け落ちないようにしてある。この座金１３は前記実施形態１の座金１３と同様である。この座金１３の座金突起１３Ａは、ナット２０の頭部２１に設けられた頭部突起２１Ａに噛み合うものである。
【００３３】
この座金付きナット２０は、架台Ａを下方から上方に貫通した座金付きボルト１０のボルト軸１２に螺合することによって、太陽光パネルＸを架台Ａと座金付きナット２０の座金１３の間に挟んで固定することができる。
【００３４】
図６にこの実施形態の太陽光パネル固定具を用いた太陽光パネル固定構造を示す。この太陽光パネル固定構造は、架台Ａ上に二以上の太陽光パネルＸが間隔をあけて載置され、そのフレームの上面が座金付きナット２０の座金１３の押さえ部１３Ｃで押さえられ、架台Ａを下方から上方に貫通した座金付きボルト１０に座金付ナット２０が螺合されることによって、架台Ａと座金１３の間に二以上の太陽光パネルが固定された構造である。座金１３の押さえ部１３Ｃに食い込み突起１３Ｄが設けられている場合、当該食い込み突起１３Ｄは太陽光パネルＸのフレームに食い込む。
【００３５】
（太陽光パネル固定構造の実施形態３）
この実施形態は、図１（ａ）に示すように、架台Ａ上に設置される太陽光パネルＸのうち、図１（ｃ）のように架台Ａの下端部の長尺材Ｇの上の太陽光パネルＸを、当該長尺材Ｇに固定する場合である。この場合は、図７（ａ）のように、第一押さえ部３１と第二押さえ部３２を備えて側面視Ｚ字状に形成され、第一押さえ部３１に差込み孔３１Ａが開口されているプレート３０を使用して太陽光パネルＸを架台Ａに固定する。このプレート３０を使用する場合は、図７（ｂ）のように、プレート３０の第一押さえ部３１を太陽光パネルＸのフレームの上に重ね、長尺材Ｇの上面にプレート３０の第二押さえ部３２を重ね、架台Ａに上向きに差し込まれ、第一押さえ部３１の差込み孔３１Ａを貫通したボルト１０に座金付きナット２０を螺合して、両者を締め付けることにより、プレート３０が座金１３の押さえ部１３Ｃで押さえられて、長尺材Ｇとプレート３０の間に太陽光パネルＸが固定された構造である。押さえ部１３Ｃに食い込み突起１３Ｄがある場合は、当該食い込み突起１３Ｄは第一押さえ部３１に食い込む。
【産業上の利用可能性】
【００３６】
前記実施形態は本発明の一例である。本発明の解決課題を達成できる範囲で、架台、固定具、プレート等の形状、構造を設計変更可能である。例えば、図７（ａ）（ｂ）のボルトを座金付きボルトにすることも、図７（ａ）（ｂ）のボルトを座金付きボルトにし、図７（ａ）（ｂ）の座金付きナットを座金のない汎用のナットとすることもできる。
【符号の説明】
【００３７】
１０      座金付きボルト（ボルト）
１１      頭部
１１Ａ    頭部突起
１１Ｂ    平坦部
１１ａ    第一斜面
１１ｂ    第二斜面
１２      ボルト軸
１２ａ    雄ネジ
１２ｂ    無ネジ部
１３      座金
１３Ａ    座金突起
１３Ｂ    貫通孔
１３Ｃ    押さえ部
１３Ｄ    食い込み突起
１３Ｅ    凹陥部
１３ａ    第一斜面
１３ｂ    第二斜面
１３ｘ    高台部
１３ｙ    内低地部
１３ｚ    外低地部
２０      座金付きナット（ナット）
２０Ａ    雌ネジ孔
２１      頭部
２１Ａ    頭部突起
２１Ｂ    平坦部
２１ａ    第一斜面
２１ｂ    第二斜面
２２      カシメ軸
２２ａ    胴体部
２２ｂ    カシメ部
３０      プレート
３１      第一押さえ部
３１Ａ    差込み孔
３２      第二押さえ部
３３      連続部
Ａ        架台
Ｂ        押さえ具
Ｃ        ボルト
Ｄ        溝
Ｅ        駒
Ｆ        受け片
Ｇ        長尺材
Ｈ        支柱
Ｓ        隙間
Ｘ        太陽光パネル
Ｚ        （太陽光パネルの）フレーム
【図１】
2020036398.tif 000003
【図２】
2020036398.tif 000004
【図３】
2020036398.tif 000005
【図４】
2020036398.tif 000006
【図５】
2020036398.tif 000007
【図６】
2020036398.tif 000008
【図７】
2020036398.tif 000009
【図８】
2020036398.tif 000010